(57)【特許請求の範囲】
【請求項１】
接着剤を用いて上まつげに人工まつげを付着することによって、まつげの長さを延長する人工まつげの取り付け方法において、
下まつげを第１のテープで顔面に密着固定する第１過程と；
上まつげ束を第２のテープを用いて分離してまつげ間の横方向間隔を調節する第２過程と；
横方向間隔を調節したまつげ束に属するまつげごとに接着剤で人工まつげを付着する第３過程と；
人工まつげを付着したまつげを第３のテープで顔面に付着する第４過程と；
前記第２のテープで分離したまつげ束に属するまつげごとに接着剤で人工まつげを付着する第５過程と；
人工まつげを付着したまつげを第３のテープで顔面に付着して待機する第６過程と；
全てのテープを除去する第７過程と；を含むことを特徴とする人工まつげの取り付け方法。
【請求項２】
前記第２過程は、ピンセットを用いて上まつげを前方の待機領域群と後方の先施術領域群とに分離する過程と；
前記待機領域群と先施術領域群との間に第２のテープを挿入する過程と；
待機領域群のまつげ束を第２のテープで付着しながら、下目頭側に第２のテープを付着する過程と；からなることを特徴とする請求項１に記載の人工まつげの取り付け方法。
【請求項３】
前記第３過程または第５過程は、ピンセットを使用して人工まつげの下段部に接着剤を塗った状態で、人工まつげで被術者のまつげをなで下ろして被術者のまつげ表面に接着剤を塗った後、前記人工まつげを被術者のまつげ上方に配置して接着する過程を含むことを特徴とする請求項１に記載の人工まつげの取り付け方法。
【請求項４】
前記第２過程で使用する前記第２のテープは、当該被術者の上まつげ長さより小さな幅を有するものから選択することを特徴とする請求項１に記載の人工まつげの取り付け方法。
【請求項５】
前記第２過程は、くしの歯に第２のテープを付着した状態で上まつげをくしの歯で分離し、くしの歯の間に露出した一部のまつげを第２のテープに付着する過程を経て第２のテープを付着することを特徴とする請求項１に記載の人工まつげの取り付け方法。
【請求項６】
前記第１ないし第３のテープ中少なくともいずれかは所定の間隔でガイドラインが形成されることを特徴とする請求項１に記載の人工まつげの取り付け方法。
【発明の詳細な説明】
【技術分野】
【０００１】
本発明は人工まつげの取り付け方法に関するもので、より詳細には、人工まつげを用いたまつげの長さ延長時、速やかに作業を行うことができるようにした人工まつげの取り付け方法に関するものである。
【背景技術】
【０００２】
周知のように、他人よりより格好良く、よりきれいに見えたい欲望によって各種美容や化粧技術の開発が進んでおり、多様な美容道具が登場している。各種化粧技術や美容技術によって変化できる顔面要素のうち、目は断然人のイメージを変化させる最も重要な要素であるということができる。
【０００３】
目を大きく、且つ可愛く見えるようにするための美容技術としては、化粧を通じて目周辺のアイラインを強調したり、まつげを濃く強調し、きちんと整えるマスカラ処理などの美容技術がある。
【０００４】
また、人工まつげを用いてより長いまつげを演出することも美しい目を作る美容技術のひとつである。すなわち、人工まつげを元のまつげ（厳密には眼球の上方にあるまつげ）に取り付けてまつげの全体長さを延長することによって、平凡な目をより明確で、且つ深みあるように演出することが可能である。
【０００５】
従来の人工まつげの取り付け技術は、目の様子に合せて人工毛が形成された人工まつげを接着剤やテープで目周囲に付着した状態で、はさみなどの道具で残った部分を切り出して使用してきた。しかし、人ごとに目の顔付が異なるため、このように一律的な模様になった人工まつげを使用すると、ユーザーの目つきが自然に見えず、人工まつげがユーザーの目がしらに正しく付かないで取れやすい短所がある。
【０００６】
これを改善するために、最近はまつげ１個当り一つの人工まつげを付けてより自然ながらも長く維持でき、また目がしらに無理を与えない方法でまつげを延長している。
【０００７】
しかし、このような人工まつげの取り付け方法においては、まず人工まつげと接着剤を一側に準備し、被術者が寝台等に目をとじて横になった状態で術者は両手でピンセットをそれぞれ持ち、片方のピンセットで被術者のまつげ束のうち一つのまつげを除いて残りのまつげを全て両側に広げて空間を確保し、他の方向のピンセットでは人工まつげを持って接着剤を塗った状態で、一側ピンセットにより空間を確保した状態にあるまつげに接着させる。
【０００８】
以後、一側ピンセットで空間を確保した状態のまま一定時間維持して接着剤を乾燥させる。これは人工まつげの接着部位を完壁に乾燥しないと、周囲の他のまつげに接着して、まつげの形態を一定に維持できないためである。
【０００９】
一つのまつげに人工まつげを継ぎ合わせて延長した後には、前述したものと同一の方法で他のまつげを付けるようになる。このような過程をまつげの数に合わせていちいち繰り返して人工まつげの取り付け作業を行う。
【００１０】
この時、一般的な人の上まつげは５０〜１５０個程度であるため、両目のまつげを全て延長するためには前述したような作業を１００回〜３００回いちいち繰り返さなければならない。
【００１１】
したがって、高度の熟練した術者が人工まつげの取り付け作業を行う場合も１時間３０分〜２時間程度の長い時間が必要である。これによって人工まつげの取り付けコストもやはり増加するようになる。また、術者は常に両手でピンセットをそれぞれ握って作業を進行しなければならないため、作業が非常に面倒であり、難しい短所もある。
【００１２】
このような従来の人工まつげの取り付け方法は非常に長い時間を必要とする。このように作業時間が長くなる代表的原因は、実際にまつげの密度が高いためである。延長対象になる元のまつげが稠密に位置するので、人工まつげを取り付ける作業を行う際、隣の他のまつげが一緒に付着して不良な状態になる。したがって、まつげを一本ずつ分離して人工まつげを正確に付けるためには、神経を集中させなければならず、それによって作業時間が長くなる。
【先行技術文献】
【特許文献】
【００１３】
【特許文献１】特開２０１２−０９２４９１号公報
【発明の概要】
【発明が解決しようとする課題】
【００１４】
前述した従来技術の問題点に鑑みてなされた本発明は、人工まつげを用いてまつげの長さを延長する時、速やかに作業を行うことができる人工まつげの取り付け方法を提供することにその目的がある。
【課題を解決するための手段】
【００１５】
前述の目的を達成するための本発明に係る人工まつげの取り付け方法は、接着剤を用いて上まつげに人工まつげを付着することによって、まつげの長さを延長する人工まつげの取り付け方法において、下まつげを第１のテープで顔面に密着固定する第１過程と；上まつげ束を第２のテープを用いて分離してまつげ間の横方向間隔を調節する第２過程と；横方向間隔を調節したまつげ束に属するまつげごとに接着剤で人工まつげを付着する第３過程と；人工まつげを付着したまつげを第３のテープで顔面に付着する第４過程と；前記第２のテープで分離したまつげ束に属するまつげごとに接着剤で人工まつげを付着する第５過程と；人工まつげを付着したまつげを第３のテープで顔面に付着して待機する第６過程と；全てのテープを除去する第７過程と；を含むことを特徴とする。
【００１６】
ここで、前記第２過程は、ピンセットを用いて上まつげを前方の待機領域群と後方の先施術領域群とに分離する過程と；前記待機領域群と先施術領域群との間に第２のテープを挿入する過程と；待機領域群のまつげ束を第２のテープで付着しながら、下目頭側に第２のテープを付着する過程と；からなることが好ましい。
【００１７】
また、前記第３過程または第５過程は、ピンセットを使用して人工まつげの下段部に接着剤を塗った状態で、人工まつげで被術者のまつげをなで下ろして被術者のまつげ表面に接着剤を塗った後、前記人工まつげを被術者のまつげ上方に配置して接着する過程を含むことが好ましい。
【００１８】
さらに、前記第２過程で使用する前記第２のテープは、当該被術者の上まつげ長さより小さな幅を有するものから選択することが好ましい。
【００１９】
またさらに、前記第２過程は、くしの歯に第２のテープを付着した状態で上まつげをくしの歯で分離し、くしの歯の間に露出した一部のまつげを第２のテープに付着する過程を経て第２のテープを付着することが好ましい。
【００２０】
また、 前記第１ないし第３のテープ中少なくともいずれかは所定の間隔でガイドラインが形成されることが好ましい。
【発明の効果】
【００２１】
本発明に係る人工まつげの取り付け方法は被術者のまつげを低密度に分けた状態で、人工まつげをそれぞれのまつげに接着するので、任意のまつげ周囲にある他のまつげとの間隔を広げる動作と、接着剤が乾燥する時まで待機する過程が不要である。したがって、より速い時間内に人工まつげを取り付けることができ、付着する位置のまつげに接着剤が正確に接着して、隣の他のまつげとの意図しない干渉を防止できる長所がある。
【図面の簡単な説明】
【００２２】
【図１】本発明の一実施形態に係る人工まつげの取り付け方式に関する原理を示すために要部を拡大した側面図である。
【図２】本発明の一実施形態に係る人工まつげの取り付け過程を示すフローチャートである。
【図３】本発明の一実施形態に係る人工まつげの取り付け状態を示す個別工程図である。
【図４】本発明の一実施形態によって人工まつげを取り付ける被術者のまつげ長さに適合したテープを選択する状態を示す図面である。
【図５】本発明の一実施形態によって人工まつげを取り付ける際、くしを用いたテープ付着状態を示す図面である。
【発明を実施するための最良の形態】
【００２３】
以下、本発明の好ましい実施形態について添付図面を参照して詳細に説明する。
これらの図面を参照すれば、本発明の一実施形態に係る人工まつげの取り付け方法は人工まつげを用いたまつげの長さ延長時、速やかに作業を行うことができる人工まつげの取り付け方法である。
【００２４】
より詳細には、本発明の一実施形態に係る人工まつげの取り付け方法は接着剤を用いて付着した元のまつげと人工まつげが乾燥する以前に、他のまつげの長さを延長する作業を行う場合も、まだ乾燥しないまつげと作業中のまつげとの干渉を防止して、まつげの間隔が稠密な状態にならないようにする。このような処理を通じて本発明の目的を達成できる。
すなわち、本発明の一実施形態に係る人工まつげの取り付け方法は基本的に、従来の技術と同様に接着剤を用いて被術者のまつげに人工まつげを接着することによって、まつげの長さを延長するが、従来の人工まつげの取り付け方法に比べて、より速やかに作業を行うことができる。
【００２５】
本発明は被術者の眼球の上方にあるまつげ(以下、単に上まつげと称する)１０のそれぞれに人工まつげ２０を一つずつ接着させてまつげの長さを延長するものである。このために、一般人のまつげ１０より長い長さを有する人工まつげ２０とこれを元のまつげ１０に接着するための接着剤２１を準備しなければならない。
【００２６】
本発明に適用する接着剤２１は人体の皮膚に影響を与えない天然植物性材料で製造した接着剤を選択して使用することが好ましい。また人工まつげ２０と接着剤２１の色は元のまつげ１０と一致するように、同一の色（たとえば、黒色）に構成しなければならない。
まつげ１０を延長しようとする被術者が目を閉じたまま寝台に横になっていると、術者は被術者の枕元に座って施術を行う。術者は被術者のまつげ１０を多数の接着テープを用いて低密度に分けて作業を進行する。この時、用いる接着テープは便宜上第１のテープ３１、第２のテープ３２、第３のテープ３３と称するようにする。
【００２７】
まず、被術者の眼球の下方にあるまつげ(以下、単に下まつげと称する)１０ｃは人工まつげの取り付け施術を行わないため、他のまつげの接着時、邪魔にならないように下まつげ１０ｃを第１のテープ３１で顔面に密着固定させる。第１のテープ３１は下まつげ１０ｃが付着した状態で、下目頭側に付着することによって、下まつげ１０ｃを固定させる。
その状態で、上まつげ１０が稠密にならないように処理することによって、上まつげ１０に人工まつげ２０を付着しやすいようにする。本発明においては上まつげ１０を稠密にならないように処理するため、上まつげ１０束のうち直ちに施術する分量と後ほど施術する分量を分離した後、後ほど施術する分量をテープで固定させる。
【００２８】
そうすると、直ちに施術する上まつげは低密度になるので、接着剤を用いて人工まつげ２０を付着することが非常に容易であり、速やかに作業を行うことができる。
この時、上まつげ１０は直ちに施術する上まつげを先施術領域６のまつげと称して、参照符号１０ａを付する。後ほど施術するまつげは待機領域４のまつげと称し、参照符号１０ｂを付ける。
【００２９】
術者は上まつげ１０を先施術領域６のまつげ１０ａと、待機領域４のまつげ１０ｂに分離することによって、先施術領域６のまつげ１０ａ間の間隔を広げることが好ましい。
具体的に、術者はピンセット４０を用いて上まつげ１０を前方の待機領域４のまつげ１０ｂと後方の先施術領域６のまつげ１０ａに分離し、待機領域４のまつげ１０ｂと後方の先施術領域６のまつげ１０ａの間に第２のテープ３２を挿入する。
【００３０】
そして、待機領域４のまつげ１０ｂ束を第２のテープ３２で付着しながら、下目頭側に第２のテープ３２を付着する。
【００３１】
この時、第２のテープ３２により分離される先施術領域６のまつげ１０ａは待機領域４のまつげ１０ｂに比べてより多い量であり、待機領域４のまつげ１０ｂはもう一つの第２のテープ３２により多数回分割して待機させることもできる。
【００３２】
すなわち、上まつげ１０は多数の第２のテープ３２で多数回分割でき、より多く分割するほど施術しようとするまつげ１０ａの量が少なく、各まつげ１０ａが横方向により広い間隔を有することができるので、人工まつげ２０の付着がより一層容易である。
また、第１のテープ３１は施術の開始時がら施術の終了時まで被術者の下目頭側に接着していなければならないので、第２のテープ３２または第３のテープ３３に比べて相対的に強い接着力を有しなければならない。また、最初の接着時被術者の目から涙が出る場合がある。この時、涙が下方に流れることができるように表面をコートした材質のテープを使用することが好ましい。第２のテープ３２及び第３のテープ３３は随時脱着しなければならないので、第１のテープ３１に比べて相対的に弱い接着力を有し、接着しようとするまつげ１０をもれなく正確に接着しなければならない。したがって、第１のテープ３１より広い幅を有し、まつげ３１の延長施術過程で流れる恐れがある涙を速やかに吸い取ることができる材質で製作することが好ましい。
【００３３】
次に、術者は先施術領域６のまつげ１０ａに対して、まつげごとに接着剤を用いて人工まつげ２０を付着する施術を行う。
【００３４】
そして、先施術領域６のまつげ１０ａに対する人工まつげ２０の付着が完了すると、術者は人工まつげが付着されたまつげを第３のテープで顔面に付着する。
【００３５】
すなわち、人工まつげ２０がそれぞれ接着されて延長されたまつげ１０を第３のテープ３３を使用して一度に上目頭側に付着する。人工まつげ２０を被術者のまつげに接着させる時は、まずピンセット４０を用いて従来の人工まつげの取り付け時使用した接着剤量の１／４程度の接着剤２１を人工まつげ２０の下段部に塗った状態で、人工まつげ２０で被術者のまつげ１０をなで下ろすようにして、被術者のまつげ１０の表面に接着剤を貼る。次に、人工まつげ２０を被術者のまつげ１０上方に配置すると、元のまつげ１０と人工まつげ２０との接着が自然な形態で行われると共に、接着と同時に乾燥が進行して接着剤２１の乾燥時間が非常に短縮する。
【００３６】
このような過程を通じて全まつげ１０のうち、先施術領域６のまつげ１０ａに対する長さ延長が完了すると、１／２または１／３のまつげ１０の延長を完了するようになる。残りのまつげ、例えば、待機領域４のまつげ１０ｂの延長のために第１のテープ３１の上方に付着されていた第２のテープ３２を剥した状態で、前述したものと同一の方法で各まつげ１０ｂに人工まつげ２０をそれぞれ接着させる。
【００３７】
残っている全てのまつげ１０ｂに対する長さ延長を行うと、第３のテープ３３を上目頭側に接着させた後、３０秒〜１分程度待機しながら乾燥するようにする。
【００３８】
所定時間が経過した後に乾燥が完了すると、第１ないし第３のテープ３１〜３３を全て除去する。
【００３９】
前述したように延長済みのまつげ１０を一度に上目頭側に接着すると、延長した全てのまつげ１０が待機する過程で自然に上方にウェーブした形状に成形できる。また、多段に分けて延長施術してもまつげ１０は層にならず自然な様子を成すことができる。
【００４０】
ここで、 前記第１ないし第３のテープ中少なくともいずれかは所定の間隔でガイドラインが形成されることができる。 上記のガイドラインを使用してまつげの密度を確認することができ、ガイドラインに沿ってテープを折り、分離された各階のまつげを再分離することができる。
【００４１】
図４は本発明の一実施形態によって人工まつげを被術者のまつげ長さに適合したテープを選択する状態を示す図面である。
【００４２】
図４を参照すれば、本発明の一実施形態に係る人工まつげの取り付けのための方法は被術者のまつげに適合したテープを選択する過程をさらに含む。
【００４３】
すなわち、本発明においては、手術しないまつげを固定したり、今後施術するまつげを臨時に皮膚に付着したり、人工まつげの取り付け施術が完了したまつげに対して接着剤が乾燥する時間の間に待機するために第１のテープ３１、第２のテープ３２、第３のテープ３３を付着するので、被術者のまつげの長さによって各テープの長さを適合に選択しなければならない。
【００４４】
第１のテープ３１の場合には下まつげ１０ｃや短い毛を皮膚に付着する用途に使用するので、第１のテープ３１の幅は下まつげ１０ｃや短い毛の長さより大きくならなければならない。
【００４５】
第２のテープ３２は待機領域４のまつげ１０ｂを皮膚に付着し、今後第２のテープ３２を皮膚から剥した状態で第２のテープ３２に付着されたまつげ１０ｂに接着剤を用いて人工まつげ２０を付着する施術を行なわなければならない。したがって、図４に示すように、待機領域４のまつげ１０ｂの長さがＡである被術者に施術する第２のテープ３２は、Ａより小さな幅を有するものを使用すれば良い。
【００４６】
反面、待機領域４のまつげ１０ｂの長さがＢである被術者に施術する第２のテープはＢより小さな幅Ｃ’を有することを使用すれば良い。しかし、Ｂより大きい幅Ｃの第２のテープ３２は待機領域４のまつげ１０ｂの長さがＢである被術者に使用しないことが好ましい。
【００４７】
第３のテープ３３は、人工まつげ２０の延長施術後長さが延長した全まつげの長さより大きい幅を有することが好ましい。
【００４８】
図５は本発明の一実施形態によって人工まつげを取り付ける際、くしを用いてテープ付着状態を示す図面である。
【００４９】
図５を参照すれば、本発明の一実施形態に係る人工まつげの取り付け方法は迅速な作業が可能である。すなわち、第２のテープ３２を用いて手術した領域のまつげと待機領域のまつげを直ちに分割してまつげを低密度化し、それによって人工まつげ２０の接着作業速度が増加するようにする。第２のテープ３２を用いてまつげを分割する速度もやはり、全体作業速度の向上に影響を与える重要な要素のうち一つである。
【００５０】
すなわち、第２のテープ３２を用いてまつげを分割する速度が早ければ、全体作業速度が速くなることは当然であるが、全体作業時間のうち第２のテープ３２を用いてまつげを分割する時間が多い部分を占めるので、第２のテープ３２を用いてまつげを分割する時間を短縮させる方法を探すことが重要である。
【００５１】
本発明においては追加的に、第２のテープ３２を用いてまつげを分割する時間を短縮させる方法も提示する。
【００５２】
すなわち、薄膜のくし１２のくしの歯１４に第２のテープ３２を付着した状態で、上まつげ１０をピンセット４０で前後方に押したり引いたりし、前方に引いたまつげと後方に押したまつげとの間にくしの歯１４を挿入する。
【００５３】
この時、第２のテープ３２の接着面が前方に向かうようにし、前方に分割された待機領域４に分割するまつげ１０ｂを第２のテープ３２に押圧する。
【００５４】
そうすると、くしの歯１４に付着している状態の第２のテープ３２には、待機領域４に分割するまつげ１０ｂが付着される。
【００５５】
その状態で、くし１２を第２のテープ３２から分離すると、第２のテープ３２を簡単に待機領域４のまつげ１０ｂに付着できる。
【産業上の利用可能性】
【００５６】
被術者のまつげを低密度に分けた状態で、人工まつげをそれぞれのまつげに接着するので、任意のまつげ周囲にある他のまつげとの間隔を広げる動作と、接着剤が乾燥する時まで待機する過程が不要である。したがって、より速い時間内に人工まつげを取り付けることができ、付着する位置のまつげに接着剤が正確に接着して、隣の他のまつげとの意図しない干渉を防止できる。
【００５７】
従って、本発明の産業利用性はきわめて高いものといえる。
【００５８】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【符号の説明】
【００５９】
２  眼球
４  待機領域
６  先施術領域
１０  上まつげ
１０ｃ  下まつげ
２０  人工まつげ
３１、３２、３３  第１、２、３のテープ
【図１】
0005477876.tif 000002
【図２】
0005477876.tif 000003
【図３】
0005477876.tif 000004
【図４】
0005477876.tif 000005
【図５】
0005477876.tif 000006